(57)【要約】【課題】ゴミの影響を低減しながら表示窓と表示パネルとの位置合わせが可能な表示装置を提供する。【解決手段】表示器１と、この表示器１の前面側に配置される表示パネル２と、少なくとも表示パネル２を保持する中ケース３と、表示器１および中ケース３とを組み付け固定する硬質材料からなる回路基板４と、表示器１および中ケース３を組み付けた回路基板４を収納する下側ケース５と、この下側ケース５の前面側を覆う透視可能な窓枠状の透視カバー６０を有する上側ケース６とからなる表示装置において、上側ケース６に、中ケース３又は回路基板４に位置決めされる位置決め部６２を設けた。【選択図】図２
2011185807.tif 000002
【特許請求の範囲】
【請求項１】
表示器と、この表示器の前面側に配置される表示パネルと、少なくとも前記表示パネルを保持する中ケースと、前記表示器および前記中ケースとを組み付け固定する硬質材料からなる回路基板と、前記表示器および中ケースを組み付けた前記回路基板を収納する下側ケースと、この下側ケースの前面側を覆う透視可能な窓枠状の透視カバーを有する上側ケースとからなる表示装置において、前記上ケースに、前記中ケース又は前記回路基板に位置決めされる位置決め部を設けたことを特徴とする表示装置。
【請求項２】
前記位置決め部は、前記表示器の表示領域を除く不可視領域に位置させたことを特徴とする請求項１記載の表示装置。
【請求項３】
前記位置決め部は、前記中ケース又は前記回路基板に位置決めされた状態において、前記中ケース又は前記回路基板の表面上に当接する段部を有することを特徴とする請求項１に記載の表示装置。
【請求項４】
前記下側ケースは、前記回路基板を仮止め保持するための載置部が前記下側ケースの内面側に設けられていることを特徴とする請求項１に記載の表示装置。
【発明の詳細な説明】
【技術分野】
【０００１】
本発明は、ケース内に、表示パネルが前面側に配置された表示器や少なくとも表示パネルを保持する中ケースを組み付けた回路基板を収納固定してなる表示装置に関するものである。
【背景技術】
【０００２】
従来の計器として特許文献１に記載のように、透視可能な透視板および見返し部材とからなる上ケースと、下ケースとからなるケース内に、表示パネル（表示板）が前面側に配置された指針式表示器や少なくとも表示パネルを保持する枠状の中ケースを組み付けた回路基板を収納固定してなる表示装置が知られている。この特許文献１における表示装置では、上ケースに設けられた見返し部材の窓枠に対し、表示パネルの表示領域との位置を合わせるために見返し部材の背面側に一体にピン状の突部を設け、この突部と対向する表示パネルに孔部（ケース位置決め部）を設け、この表示パネルに設けた位置決め用の孔部を基準にして見返し部材に設けたピン状の突部を挿入することにより、表示パネルを基準に見返し部材を含む上ケースを固定するようにしている。
【０００３】
【特許文献１】特開２００９−２６４８７０号公報
【発明の概要】
【発明が解決しようとする課題】
【０００４】
しかしながら、このような固定構造は、上ケース側の見返し部材の窓枠に対し、表示パネルの表示領域との位置を所定の位置に合わせた状態にて組み付け保持することができるという反面、見返し部材に設けられた突部と表示パネルに設けられた孔部が振動等によって擦れ、ゴミが発生するという問題点があった。そこで、表示パネルと見返し部材との位置決めを廃止し、表示パネルを組み付けた枠状の中ケースと指示計器などを組み付けた回路基板とを下ケースを基準にしてビスなどの固定手段によって固定保持し、この下ケースを基準にして、見返し部材を含む上ケースを被せることにより、下ケースと上ケースとを固定保持することが考えられるが、下ケースを基準にして組み付けられる表示パネルと枠状の中ケースと回路基板とはそれぞれの部品寸法の公差などのバラツキにより組み付け位置において位置ずれが生じることがあり、この位置ずれによって、上ケースに設けられた見返し部材の窓枠に対し、表示パネルの表示領域との位置関係において位置ずれが生じ、これにより見栄えが悪くなるなどの問題があった。
【０００５】
そこで本発明は、前述した課題に対処するため、ゴミの影響を低減しながら上ケース側の表示窓枠と表示パネルの表示領域との位置合わせが可能な表示装置を提供することを目的とするものである。
【課題を解決するための手段】
【０００６】
本発明は、表示器と、この表示器の前面側に配置される表示パネルと、少なくとも前記表示パネルを保持する中ケースと、前記表示器および前記中ケースとを組み付け固定する硬質材料からなる回路基板と、前記表示器および中ケースを組み付けた前記回路基板を収納する下側ケースと、この下側ケースの前面側を覆う透視可能な窓枠状の透視カバーを有する上側ケースとからなる表示装置において、前記上側ケースに、前記中ケース又は前記回路基板と位置決めする位置決め部を設けたものである。
【０００７】
また本発明は、前記位置決め部は、前記表示器の表示領域を除く不可視領域に位置させたものである。
【０００８】
また本発明は、前記位置決め部は、中ケース又は前記回路基板の表面上に前記回路基板に位置決めされた状態において、前記回路基板の表面上に当接する段部を有するものである。
【０００９】
また本発明は、前記下側ケースは、前記回路基板を仮止め保持するための載置部が前記下側ケースの内面側に設けられているものである。
【発明の効果】
【００１０】
本発明によれば、上側ケースを中ケース又は回路基板に位置決めする構成とすることで、ゴミの影響を低減しながら表示窓となる窓枠状の透視カバーの位置と表示パネルとの位置合わせが可能な表示装置を提供することができる。
【図面の簡単な説明】
【００１１】
【図１】本発明の第１実施例を示す正面図。
【図２】同上のＡ−Ａ断面図。
【図３】本発明の第２実施例を示す断面図。
【発明を実施するための形態】
【００１２】
本発明を車両用の表示装置に適用した例を、添付図面を用いて説明する。本発明の第１実施例における表示装置は、図１及び図２に示すように、指針式のアナログ計器や液晶表示素子などからなる表示器１と、この表示器１の前面側に配置される表示パネル（表示板）２と、少なくとも表示パネル２を保持する中ケース３と、表示器１および中ケース３とを組み付け固定する硬質材料からなる回路基板４と、表示器１および中ケース３を組み付けた回路基板４を収納する下側ケース５と、この下側ケース５の前面側を覆う透視可能な窓枠状の透視カバー（透視部）６０を有する上側ケース６と、によって全体の表示装置が構成されている。
【００１３】
表示器１として本実施例においては、左側に速度計として計器本体１０に設けられた指針軸１１の先端に指針１２が取り付けられた指針式のアナログ計器からなる表示器１が配置されている。また、速度計の右側に位置して、例えば液面計としての表示を行うために設けられた液晶表示素子１３からなる表示器１が配置されている。
【００１４】
表示パネル（表示板）２には、合成樹脂製の板材の表面に速度計の領域において指針１２の指示を判読するために施された指標部２１が印刷されるとともに、液晶表示素子１３からなる液面計の表示器１の表示セグメントなどを判読するための開口窓部２２が設けられている。
【００１５】
中ケース３は、遮光性のある例えば白色の枠状の合成樹脂からなり、下側ケース５の内側に形成される仮止め用の載置部５０に載置される回路基板４と表示パネル２との間に配置され、速度計や液面計などの表示領域を照明表示するための光源Ｌを取り巻くように傾斜して形成された反射壁３２や、表示パネル２が支持される外周壁３３などを有している。
【００１６】
回路基板４は、例えばガラスエポキシ系材料からなる硬質の基板からなり、表示パネル２を保持する中ケース３や表示器１の一部を構成する計器本体１０や光源Ｌなどが組み付け固定されている。
【００１７】
また下側ケース５は、合成樹脂材料にて成形され、表示器１および中ケース３を組み付けた回路基板４を収納するように設けられている。この場合、回路基板４を仮止め保持するための載置部５０が下側ケース５の内面側に設けられている。
【００１８】
上側ケース６は、表示パネル２の可視領域を定める円形の透視部６０を有し、その透視部６０の周囲を覆うように形成された見返し部材となる枠部材６１を有している。その見返し部材となる枠部材６１は、例えば黒色の不透過性の合成樹脂から成型され、枠部材６１の裏面側には、回路基板４側へ向かって一体形成された例えば円柱状の位置決め部６２が形成されている。
【００１９】
回路基板４の、枠部材６１に設けられた位置決め部６２と対応した箇所には、位置決め孔部４１が設けられている。位置決め孔部４１は、円形又は凹形状の孔部であり、位置決め部６２よりも僅かに径大に成形されている。その位置決め孔部４１に、位置決め部６２が挿入されることによって、上側ケース６を基準として回路基板４が位置決めされるように設けられている。
【００２０】
また、表示パネル２の周縁箇所には、上側ケース６の枠部材６１から一体に形成された位置決め部６２と対向する箇所において、位置決め部６２が表示パネル２と接触しないように切り欠き孔部２３が設けられている。
【００２１】
このように構成された第１実施例にあっては、表示器１と、この表示器１の前面側に配置される表示パネル２と、少なくとも表示パネル２を保持する中ケース３と、表示器１および中ケース３とを組み付け固定する硬質材料からなる回路基板４と、表示器１および中ケース３を組み付けた回路基板４を収納する下側ケース５と、この下側ケース５の前面側を覆う透視可能な窓枠状の透視カバー６０を有する上側ケース６とからなる表示装置において、上側ケース６に、回路基板４に位置決めされる位置決め部６２を設けたことによって、上側ケース６の枠部材６１に設けられた位置決め部６２を基準として回路基板４を位置決め固定することができるので、各部品の寸法バラツキによるずれを防ぐことができる。
【００２２】
すなわち、上側ケース６の枠部材６１に設けた位置決め部６２を回路基板４に設けた位置決め孔部４１に挿入することによって、上側ケース６を基準として回路基板４と、この回路基板４上に組み付けられた中ケース３および表示パネル２とが組み付けられるため、位置ずれを防ぐことができ、これにより上側ケース６の透視部となる透視カバー６０の透視領域（枠部材６１による窓枠箇所）と表示パネル２上に設けた速度計による表示器１の指標部２１との位置ずれを未然に防ぐことができ、表示パネル２の表示領域の見栄えを良好に保つことができる。これと同時に、液晶表示素子１３からなる表示器１においても、その表示器１の前面側に配置された表示パネル２に設けられた開口窓部２２の窓枠位置と、その開口窓部２２の前面側を覆う上側ケース６の窓枠状の透視カバー６０による視認領域の位置とを所定の位置に位置ずれすることなく組み付けることができるため、見栄えを良好に保つことができる。
【００２３】
この際、位置決め部６２は、表示器１の表示領域を除く不可視領域に位置させたことにより、位置決め部６２を上側ケース６の枠部材６１によって目隠しすることができ、計器装置の見栄えを良好に保つことができる。
【００２４】
また、表示パネル２の周縁箇所に設けた切り欠き孔部２３によって、位置決め部６２と表示パネル２とが接触することがなく、これにより、従来のような振動に伴う接触箇所の擦れにて発生していたゴミの問題を未然に解決することができる。
【００２５】
次に、第２実施例として位置決め部６２に段部６３を設けた例を、図３を用いて説明する。前記第１実施例と同一もしくは相当箇所については同一符号を付し、その詳細な説明は省略する。
【００２６】
本実施例においては、位置決め部６２は、中ケース３に位置決めされた状態において、中ケース３の表面上に当接する段部６３を有している。段部６３は、位置決め部６２が中ケース３に位置決めされる際に、段部６３の径よりも大きい径で表示パネル２に形成された透孔部２４を通過し、段部６３の底面側が中ケース３の表面側に当接し、位置決め部６２の先端が中ケース３に設けられた位置決め孔部３４を挿通するように形成されている。
【００２７】
このように構成された第２実施例にあっては、上側ケース６の位置決め部６２と対向する中ケース３の箇所に位置決め孔部３４を設けることによって、上側ケース６の枠部材６１に設けられた位置決め部６２を基準として中ケース３を位置決め固定することができるので、各部品の寸法バラツキによるずれを防ぐことができる。
【００２８】
すなわち、上側ケース６の枠部材６１に設けた位置決め部６２を中ケース３に設けた位置決め孔部３４に挿入することによって、上側ケース６を基準として回路基板４上に組み付けられた中ケース３および表示パネル２とが位置合わせされながら組み付けられるため、位置ずれを防ぐことができる。これにより前述した第１実施例と同様にして、上側ケース６の透視部となる透視カバー６０の透視領域と表示パネル２上に設けた速度計による表示器１の指標部２１との位置ずれを未然に防ぐことができ、見栄えを良好に保つことができる。これと同時に、液晶表示素子１３からなる表示器１においても、その表示器１の前面側に配置された表示パネル２に設けられた開口窓部２２の窓枠位置と、その開口窓部２２の前面側を覆う上側ケース６の窓枠状の透視カバー６０による視認領域の位置とを所定の位置に位置ずれすることなく組み付けることができるため、見栄えを良好に保つことができる。
【００２９】
また、位置決め部６２には、中ケース３の位置決め孔３４の回りの表面上に当接する段部６３を形成することにより、この段部６３によって中ケース３の表面上を当接しながら抑えることができ、これにより中ケース３の浮き上がりを防ぎつつ振動を抑えることができるので、耐振動性も得ることができる。
【００３０】
また、下側ケース５は、回路基板４を仮止め保持するための載置部５０が下側ケース５の内面側に設けられていることにより、回路基板４の位置が定められるので、位置決め部６２を挿入しやすくなり、位置ずれすることなく組み付けることができるため、見栄えを良好に保つことができる。
【００３１】
なお本発明は、前記実施例に限定されるものではなく、本発明の要旨の範囲内において種々の変形実施が可能であり、例えば第１実施例においては、上側ケース６の枠部材６１に設けた位置決め部６２と対向する表示パネル２箇所において、位置決め部６２が表示パネル２と接触しないように切り欠き孔部２３を形成していたが、孔部に変えて切り欠き部であっても良いものであり、また位置決め部６２の配設する位置や数などは、ケース１の形状や大きさに合わせて適宜設定すればよいものである。また第２実施例においては、位置決め部６２に段部６３を形成し、中ケース３の表面に当接することにより浮き上がりを防ぎつつ振動を抑えるようにしていたが、第１実施例の位置決め部６２に段部６３を設けることによって回路基板４の耐振動性を得ることができる。
【符号の説明】
【００３２】
１      表示器
２      表示パネル（表示板）
３      中ケース
４      回路基板
５      下側ケース
６      上側ケース
１０    計器本体
１１    指針軸
１２    指針
１３    液晶表示素子
２１    指標部
２２    開口窓部
２３    切り欠き孔部
２４    透孔部
３２    反射壁
３３    外周壁
３４    位置決め孔部
４１    位置決め孔部
５０    載置部
６０    透視カバー（透視部）
６１    枠部材（見返し部材）
６２    位置決め部
６３    段部
Ｌ      光源
【図１】
2011185807.tif 000003
【図２】
2011185807.tif 000004
【図３】
2011185807.tif 000005